(57)【要約】【課題】現在視聴中の番組の裏番組についてチャンネルを切り換えずに確認できるようにした放送受信装置を提供することにある。【解決手段】本発明は、現在視聴中の放送内容の画面２を占領することなく、［裏番組チェック］の画面４において、選局された裏番組に関する情報の表示と該裏番組に関する子画面３への放送映像の表示を非同期で行うように構成した放送受信装置である。【選択図】図４
2010045861.tif 000002
【特許請求の範囲】
【請求項１】
放送受信装置において、
デジタル放送の番組、及び番組のチャンネル及びタイトルを含む番組情報を受信するためのチューナと、
該チューナで受信された番組の映像を処理する信号処理部と、
表示部と、
前記信号処理部で処理された番組の映像と前記番組情報として前記番組のチャンネルとタイトルとを前記表示部の同一画面上に表示させる制御部と、を備え、
前記制御部は、チャンネル切替操作が為された場合に、該切替後のチャンネルの番組映像の表示処理と前記番組情報の表示処理とを並列的に行うことを特徴とする放送受信装置。
【請求項２】
放送受信装置において、
デジタル放送の番組、及び番組のチャンネル及びタイトルを含む番組情報を受信するためのチューナと、
該チューナで受信された番組の映像を処理する信号処理部と、
表示部と、
記憶部と、
前記受信された番組情報を前記記憶部に記憶させるとともに、ユーザの指示に応答して前記記憶部に記憶された番組情報を読み出して取得し、該取得された番組情報としての番組のチャンネル及びタイトルと、前記信号処理部で処理された番組の映像とを前記表示部の同一画面上に表示させる制御部と、を備え、
前記制御部は、チャンネルを切り替えるための操作が為されると、
（ａ）該操作により指定されたチャンネルの番組に対応する番組情報を前記記憶手段から取得して表示する処理と、
（ｂ）前記指定されたチャンネルの番組を受信するように前記チューナを制御し、該チューナで受信された番組の映像を処理して表示する処理と、
を並列して行うことにより、前記番組情報の表示切替と前記番組映像の表示切替とを非同期で行うことを特徴とする放送受信装置。
【請求項３】
請求項２に記載の放送受信装置において、前記番組情報の表示の後、所定時間遅れて前記番組映像が表示されることを特徴とする放送受信装置。
【発明の詳細な説明】
【技術分野】
【０００１】
本発明は、衛星、ケーブルまたは地上波を経由して放送されるテレビ放送（主としてデジタル放送）を受信する放送受信装置に関する。
【背景技術】
【０００２】
従来の放送受信装置は、例えば特開平９−２７０６７３号公報（特許文献１）により知られている。即ち、特許文献１には、ある番組の視聴中に裏番組一覧表示を重畳表示手段と、その裏番組一覧表示において複数の裏番組の情報を文字で表示する手段と、その裏番組表示をスクロールする手段と、表示されている複数の裏番組の何れか１つを指定したときに裏番組一覧表示を消去するとともにその指定裏番組のチャンネルを選局して画面表示する手段とを備えた放送受信装置が記載されている。
【先行技術文献】
【特許文献】
【０００３】
【特許文献１】特開平９−２７０６７３号公報
【発明の概要】
【発明が解決しようとする課題】
【０００４】
しかしながら、上記特許文献１には、現在視聴中の放送内容の画面を占領することなく、裏番組チェック用の画面に、選局された裏番組に関する番組情報の表示と該裏番組に関する子画面の放送映像の表示とを行うことについては十分考慮されていなかった。
【０００５】
本発明の目的は、上記課題に鑑みて、現在視聴中の番組のチャンネルを切り換えずに裏番組について確認できるようにした放送受信装置を提供することにある。
【課題を解決するための手段】
【０００６】
上記目的を達成するために、本発明は、表示画面において、裏番組チェックの画面に選局された裏番組に関する番組情報の表示と前記裏番組チェックの画面内の子画面に前記選局された裏番組に関する放送映像の表示とを非同期で行うように構成したことを特徴とする放送受信装置である。
【０００７】
また、本発明は、前記放送受信装置において、前記子画面に表示された放送映像情報を記憶装置に記録することを特徴とする。
【０００８】
また、本発明は、前記放送受信装置において、前記裏番組に関する子画面を選局する際、前記記憶装置に前記選局された裏番組に関する子画面への放送映像情報が記録済みの場合には前記記憶装置から子画面の放送映像情報を取得して表示するように構成したことを特徴とする。
【０００９】
また、本発明は、前記放送受信装置において、前記裏番組チェックの画面に表示する番組情報の内容は、ネットワーク名、チャンネル番号、放送時間帯（現在視聴中）及び放送内容（番組タイトル名のみ）からなることを特徴とする。
【００１０】
また、本発明は、前記放送受信装置において、前記裏番組チェックの画面に番組情報を表示中に、リモコン装置に設けられた裏番組選択ボタンを操作することによってネットワーク及び各ネットワーク内のチャンネルを切り換え、該切り換えたチャンネルに応じた番組情報を表示することを特徴とする。
【００１１】
また、本発明は、前記放送受信装置において、前記裏番組チェックの画面を起動させる裏番組チェックボタンをリモコン装置に備えたことを特徴とする。
【発明の効果】
【００１２】
本発明によれば、現在視聴中の放送内容の画面を占領することなく、裏番組チェック用の画面により、現在放送中の裏番組について簡易的に早く確認できる効果を奏する。
【図面の簡単な説明】
【００１３】
【図１】本発明に係る放送受信装置の一実施の形態を示す概略構成図である。
【図２】本発明に係る放送受信装置における表示画面において、現在視聴中の放送内容の画面を占領することなく、［裏番組チェック］の画面に裏番組チェック起動時のデフォルト状態を表示した場合を示す図である。
【図３】本発明に係る子画面に映し出す裏番組の映像情報（ＴＳパケット）を示す図である。
【図４】本発明に係る放送受信装置における［裏番組チェック］に関する第１の実施の形態を示す処理フロー図である。
【図５】本発明に係る放送受信装置における表示画面において、現在視聴中の放送内容の画面を占領することなく、［裏番組チェック］の画面に裏番組チェック起動時のデフォルト状態から選局された裏番組情報を表示した状態、さらに子画面に該裏番組の放送映像を表示した状態を示す図である。
【図６】本発明に係る放送受信装置における［裏番組チェック］に関する第２の実施の形態を示す処理フロー図である。
【発明を実施するための形態】
【００１４】
本発明に係る放送受信装置の実施の形態について図面を用いて説明する。
【００１５】
［第１の実施の形態］
まず、本発明に係る放送受信装置の第１の実施の形態について図１乃至図５を用いて説明する。
【００１６】
図１は、本発明に係る放送受信装置の一実施の形態を示す概略構成図である。１０、１１は、現在視聴中の番組の放送と裏番組の放送との各々を同時に受信できるチューナ部である。即ち、チューナ部１０で現在視聴中の番組の放送を受信し、チューナ部１１で裏番組の放送を受信する。
【００１７】
例えばチューナ部１１は、図示しない放送局からのデジタル放送ソースから、衛星・地上・ケーブルなどの放送伝送網を介してデジタル放送信号を受信し、ユーザインターフェース部であるリモコンなどのユーザ操作部及び制御部（ＣＰＵ）１４を介して指定されたチャンネルの周波数に選局及び検波処理を施した後、該信号に対してデジタル復調及び誤り訂正（ＦＥＣ：Forward Error Correction）処理を行いデジタル信号（例えばＭＰＥＧ２−ＴＳ）をＴＳ（Transport Stream）分離装置１２に出力する。
【００１８】
ＴＳ（Transport Stream）分離装置（多重分離装置）１２は、チューナ部１０、１１の各々で受信した現在視聴中の番組及び選局された裏番組の放送信号（上記指定された各チャンネルの複数のトランスポートパケット）から映像信号（映像のＰＥＳ（Packetized Elementary Stream）又はＥＳ(Elementary Stream)）と音声信号（音声のＰＥＳ又はＥＳ）と番組情報を抽出（分離）する装置である。
【００１９】
なお、制御部（ＣＰＵ）１４は、ＴＳ分離装置１２で抽出された番組情報については記憶装置１５に記憶させる。復号部（例えばＭＰＥＧデコーダ）１３は、ＴＳ分離装置１２で抽出された映像信号（映像のＰＥＳ又はＥＳ）および音声信号（音声のＰＥＳ又はＥＳ）をデコード(復号)して出力するものである。制御部（ＣＰＵ）１４は、装置の各部を制御し、情報処理を行い利用者が番組あるいはチャンネルを選択するのを補助する機能を有する。
【００２０】
記憶装置１５は、情報を一時的に蓄える装置である。リモコン装置１６は、左右の押し操作をすることによって、放送衛星（ＢＳ：Broadcast Satellite）によるＢＳデジタル放送、地上デジタル放送、通信衛星（ＣＳ：Communication Satellite）によるＣＳデジタル放送を選択し、上下の押し操作をすることによってチャンネルが選択できる選択ボタン１６１と、裏番組チェックボタン１６２とを備えて構成される。
【００２１】
ＩＲ（Infrared）受信装置（リモコン受信部）１７は、リモコン信号を受信し、デコードして制御部１４に送信するものである。映像変換装置１８は、例えばＭＰＥＧデコーダ１３でデコードされた視聴中の番組の映像信号を視聴中の画面２に表示する放送映像に変換し、制御部（ＣＰＵ）から得られる裏番組情報に基づいて裏番組チェックの画面（オンスクリーンディスプレイ（ＯＳＤ：On Screen Display））４を形成し、例えばＭＰＥＧデコーダ１３でデコードされた裏番組の映像情報を裏番組チェックの画面内の子画面３に表示する裏番組の放送映像に変換する装置である。表示装置１９は、ＣＲＴ又は液晶又はＰＤＰで構成され、スピーカ装置も備えるものとする。
【００２２】
なお、番組情報とは、放送される番組についての内容や放送時間などの付属情報を含むデータである。この番組情報は放送信号に多重されて受信、分離され、記憶装置１５に記憶されるようになっている。ただし、番組情報については、番組の放送そのものとは別の放送又は通信から取得して記憶装置１５に記憶させてもよい。
【００２３】
従って、本実施例は、チューナを複数備えて構成されるため、制御部（ＣＰＵ）１４が、図２に示すように、表示画面１において、現在視聴中の放送内容の画面２を占領することなく、例えば下部領域の［裏番組チェック］の画面４に、記憶装置１５に記憶されたリモコン１６のボタン操作によって指定された裏番組情報（ネットワーク名（ＢＳデジタル放送、地上デジタル放送、ＣＳデジタル放送など）／チャンネル番号／放送局ロゴ／放送時間帯（現在視聴中）／放送内容（番組タイトルのみ）等の文字又は図形情報）を即時に表示し、裏番組チェック情報が確定してから５００ｍｓｅｃ以上遅らせて非同期でその裏
番組の放送映像を子画面３として表示するように制御することが可能となる。なお、図２は、［裏番組チェック］の画面の起動時のデフォルト（現在視聴中の番組表示）の状態を示す。
【００２４】
ここで、裏番組チェック画面４の垂直方向寸法が、表示画面の垂直方向寸法の約２５％以下に収まるようにして、現在視聴中番組への視聴を大きく妨げない（つまり占領しない）ようにしている。このために、裏番組チェック画面４に表示される放送内容に関する情報は、番組タイトルのみが表示されるようにしている。
【００２５】
しかしながら、裏番組チェック画面４の垂直方向寸法が上記の数値以下に収まるのであれば、番組タイトルとともに、番組の内容を表す簡単な説明文（例えば番組のカテゴリ、出演者、概要等）を併せて表示してもよい。また、現在視聴中の番組の視認性をより向上するために、裏番組チェック画面４
を半透明し、現在視聴中番組の映像の一部が裏番組チェック画面４を透過するようにしてもよい。
【００２６】
ところで、子画面３に映し出す映像情報（ＴＳパケット）は、図３に示すように、シーケンスヘッダ２０とＧＯＰ（Group of Picture）２１とを有するグループ単位（５００ｍｓｅｃ）で構成されているため、子画面３に映し出す映像情報を取得するには最大５００ｍｓｅｃ必要となる。ここで、ＧＯＰ２１とは、動画圧縮を行うための映像データグループ単位のことであり、例えば、０．５秒の動画像表示に必要な枚数（約１５枚）のピクチャによってＧＯＰの１グループ単位が構成される。
【００２７】
各グループ単位には、１枚のＩ（Intra）ピクチャが先頭に含まれる。これにより、ストリーム上の任意のＧＯＰ２１から子画面への表示を開始することが可能となる。なお、各ＧＯＰの直前にはシーケンスヘッダ２０が付けられており、該シーケンスヘッダに基づいて記録された映像データの再生開始位置を決定することができる。
【００２８】
そのため、本実施例は、現在視聴中の放送内容の画面を占領することなく、例えば下部領域の裏番組チェックの画面に、選局された裏番組情報（裏番組に関する文字又は図形情報）の表示と該裏番組の放送映像（該裏番組に関する映像情報）の子画面への表示を非同期で実行して裏番組について簡易的に即時に確認できるようにしたことにある。
【００２９】
次に、本実施例に係る放送受信装置において、現在視聴中の放送内容の画面を占領することなく、例えば下部領域の［裏番組チェック］の画面に、ボタン操作によって指定された裏番組情報（裏番組の文字又は図形情報）を即時に表示し、非同期でその裏番組の放送映像を［裏番組チェック］の画面内の子画面として表示する制御について図４を用いて説明する。まず、リモコン１６の裏番組チェックボタン１６２を押すことによってその信号がリモコン１６からＩＲ受信装置１７に送信されて制御部（ＣＰＵ）１４に入力されて［裏番組チェック］の画面４が起動して裏番組が選局（指定）が開始される（Ｓ１００）。
【００３０】
このとき、再選局、ブランキング、音声ミュートは行わない。該起動時のデフォルトは、図２及び図５（ａ）に示すように、現在視聴中の番組を表示する。また、起動中に、裏番組チェックボタン１６２又は戻るボタン（図示せず）を押すと解除される。
【００３１】
次に、裏番組選択ボタン１６１を操作することによってその信号がリモコン１６からＩＲ受信装置１７に送信されて制御部（ＣＰＵ）１４に入力されて裏番組が選局（指定）される。なお、リモコン１６により「決定」の操作をすることにより該当ＣＨを選局する。このとき、［裏番組チェック］の画面４は、表示されたままの状態とする。また、現在視聴中の番組を選択した場合は、再選局を行わない。また、裏番組チェックボタン１６２で起動した場合は、操作がなくなってから、３分でタイムアウトする。
【００３２】
また、ラスト選択ＣＨ情報のメモリーは行わず、本画面起動時には現在視聴中の番組を表示する。また、地上デジタルの初期スキャンを行っていない場合、番組情報がないため、ネットワークの切換をスキップする。また、裏番組チェック起動中に「ｃｈ↑／↓」が押された場合は、親画面のｃｈのアップ／ダウンを行う。
【００３３】
また、［メニュー／受信設定／地上デジタル／ＣＨスキップ設定］で［する］に設定したｃｈは、スキップし、選択できないこと。また、地デジをスキャンした後、ＡＣオン／オフすると、タイトルがクリアされても可とする。また、裏番組チェック（裏番組チェックボタン１６２）で選局決定した場合は、裏番組チェック終了となる。
【００３４】
また、裏番組チェックの起動条件としては、次のことが考えられる。
（１）データ放送中（「データ放送中は操作できません」メッセージ表示中）、［メンテナンスモード］表示中、［サービス調整画面］表示中、および２画面中は、裏番組チェック表示を起動しない。
【００３５】
なお、裏番組チェックは、上記を除きＴＶメニューなどと同等の起動優先度による後発優先度とする。
（２）裏番組チェック表示中は、データ放送の起動を禁止する。
（３）「戻る」を押した時、及び他のユーザアプリの起動が発生したときは、裏番組チェック表示を終了する。
【００３６】
このように裏番組チェックが起動して裏番組の選局（指定）が開始されると、制御部（ＣＰＵ）１４は記憶装置１５に記憶されている選局（指定）された裏番組の裏番組情報（裏番組に関する文字又は図形情報）を読み出して取得され（Ｓ１１１）、図５（ｂ）に示すように、該取得された裏番組情報を映像変換装置１８を介して表示装置１９の表示画面１において現在視聴中の放送内容の画面２を占領することなく、例えば下部領域の［裏番組チェック］の画面４に即時に表示して即時に確認することが可能となる（Ｓ１１２）。
【００３７】
例えば下部領域の［裏番組チェック］の画面４に表示する番組情報の内容は、ネットワーク名／チャンネル番号／放送局ロゴ／放送時間帯（現在視聴中）／放送内容（番組タイトル名のみ）等の文字又は図形情報である。
【００３８】
また、［裏番組チェック］の表示中、リモコン１６の選択ボタン１６１の「カーソル←／→」でネットワーク（地デジ／ＢＳ／ＣＳ等の放送源）、「カーソル↑／↓」で各ネットワーク内のＣＨ（チャンネル）を切り換え、そのＣＨに応じた番組情報を表示する。
【００３９】
このネットワーク及びＣＨの切り替えは、図２に示されるように、番組チェック画面４内に表示されたネットワーク切替キー４１とチャンネル切替キー４２を参照しつつ行われる。ネットワーク切替キー４１は、例えばデジタル地上波放送、ＢＳ放送等のネットワークを切り替えるためのアイコンであり、「カーソル←／→」の操作と連動してネットワークを切り替える。例えば、「カーソル→」を押す度に、上記ネットワークを所定の順序でが切り替わる。図２では、ネットワークとしてＢＳを選択している例を示している。
【００４０】
ＣＨ切替キー４２は、ネットワーク切替キー４１で選択されたネットワークにおいて放送されるＣＨを切り替えるためのアイコンであり、「カーソル↑／↓」の操作と連動してＣＨを切り替える。例えば、「カーソル↓」を押す度に、小さい番号のチャンネルから大きい番号のチャンネルへ順次切り替わる。図２では、ＢＳ放送のチャンネルとして、ＢＳ第１チャンネルを選択している例を示している。このように構成することにより、裏番組の選択を容易にしている。
【００４１】
尚、図５（ａ）〜（ｃ）においては、説明の簡略上、ネットワーク切替キー４１及びＣＨ切替キー４２の図示を省略している。
【００４２】
また、［ネットワーク名］の切り替え順番は、現在視聴中のネットワークをデフォルトとし、次の通りとする。
【００４３】
［ＢＳ］⇔［地デジ］⇔［ＣＳ］⇔
また、［ＣＨ番号］の順番は、現在視聴中の［ＣＨ］をデフォルトとし、［番組表］と同様とする。
【００４４】
また、裏番組チェックの番組で次の状態の時は、それぞれ次の通りとする。
【００４５】
（１）外部入力視聴中・・・デジタルのラストｃｈ
（２）ＨＤＤ再生・・・デジタルのラストｃｈ
（３）地アナ視聴中・・・地デジのラストｃｈ
（４）出荷設定後上記（１）（２）（３）の状態で始めて起動した時・・・ＢＳ１０１ｃｈ
また、裏番組チェックが起動して裏番組の選局（指定）が開始されると、制御部（ＣＰＵ）１４は、番組情報取得ステップＳ１１１及び番組情報表示ステップＳ１１１と非同期でステップＳ１０１〜Ｓ１０６を実行し、図５（ｃ）に示すように、［裏番組チェック］の画面４内の子画面３に選局された裏番組の放送映像を表示することが可能となる。
【００４６】
即ち、裏番組の選局が開始されて裏番組チェック情報が確定してから子画面（動画）３を表示することになる。このように画面２に視聴中の番組の放送内容を表示しながら、裏番組の放送映像を子画面に表示するためには、図１に示すように少なくとも２つのチューナ１０、１１を備える必要がある。そして、視聴中の番組についての放送内容については例えばチューナ１０で受信し、裏番組についての放送内容については例えばチューナ１１で受信するものとして以下説明する。
【００４７】
なお、画面２に視聴中の番組の放送内容を表示することについては簡単に説明する。即ち、例えばリモコン１６のキーを操作することによって視聴する番組が選局されると、制御部（ＣＰＵ）１４からの制御に基づいてデジタル放送信号を受信するチューナ部１０に対してチューナ設定が実行されて指定された視聴する番組の周波数に選局及び検波処理を施した後、該信号に対してデジタル復調及び誤り訂正処理を施したデジタル信号（例えばＭＰＥＧ２−ＴＳ）を出力する。
【００４８】
次に、制御部（ＣＰＵ）１４からの制御に基づいて選局（指定）された視聴する番組についてのＴＳ（Transport Stream）分離装置１２に対する
ＴＳフィルタリング設定が実行されてチューナ部１０から出力される視聴する番組の複数のトランスポートパケットから視聴する番組の映像信号（映像のＰＥＳ又はＥＳ）が抽出される。次に、復号部（ＭＰＥＧデコーダを含む）１３においてＴＳ分離装置１２から得られる視聴する番組の映像信号をデコード(復号)し、その結果視聴する番組の映像情報が取得できることになる。次に、制御部１４は映像変換装置１８に対して視聴する番組に対する映像情報の設定が行われ、その結果表示装置１９において図２に示すように、視聴中の画面２に視聴する番組の放送映像が表示できることになる。
【００４９】
次に、裏番組の選局が開始されて裏番組が選局（指定）されると、制御部（ＣＰＵ）１４からの制御に基づいてデジタル放送信号を受信するチューナ部１１に対してチューナ設定が実行されて指定された裏番組の周波数に選局及び検波処理を施した後、該信号に対してデジタル復調及び誤り訂正処理を施したデジタル信号（例えばＭＰＥＧ２−ＴＳ）を出力する（Ｓ１０１）。
【００５０】
次に、制御部（ＣＰＵ）１４からの制御に基づいて選局（指定）された裏番組についてのＴＳ（Transport Stream）分離装置１２に対するＴＳフィルタリング設定が実行されてチューナ部１１から出力される裏番組の複数のトランスポートパケットから裏番組の映像信号（映像のＰＥＳ又はＥＳ）が抽出される（Ｓ１０２）。
【００５１】
次に、復号部（例えばＭＰＥＧデコーダ）１３においてＴＳ分離装置１２から得られる裏番組の映像信号をデコード(復号)し（Ｓ１０３）、その結果裏番組の映像情報が最大５００ｍｓｅｃで取得できることになる（Ｓ１０４）。次に、制御部１４は映像変換装置１８に対して裏番組に対する映像情報の設定が行われ（Ｓ１０５）、その結果表示装置１９において図５（ｃ）に示すように、［裏番組チェック］の画面４内の子画面３に裏番組の放送映像が５００ｍｓｅｃ以降に表示できることになる（Ｓ１０６）。
【００５２】
子画面３に表示される裏番組の映像情報（シーケンスヘッダ２０）は、記憶装置１５に記録してもされる（Ｓ１０７）。ここで、子画面３に表示した裏番組に対して、例えば選択ボタン１６１の中央に配置された決定ボタンを押すことにより、記憶装置１５に記録されたシーケンスヘッダ２０を用いて、視聴中番組が表示される主画面２に当該裏番組を表示する。これと同時に裏番組チェック画面４が消去される。このように、子画面３に表示される裏番組の映像情報（シーケンスヘッダ２０）を記憶装置１５に記録しておけば、裏番組を主画面２に表示される番組として選択したときに、当該番組を迅速に主画面２に表示されることができる。
【００５３】
ところで、子画面３で裏番組の映像を表示している間に、コマーシャルや番組切り替え等で映像情報が変更されることがあるので、シーケンスヘッダ内の映像情報が変更される場合は、その度にシーケンスヘッダを記録しなおして記録内容を更新するようにしている。これにより、常に最新の映像情報を子画面３により提供するようにしている。
【００５４】
また、子画面３は、放送ソースにより１６：９／４：３を区別して表示することは可能である。
【００５５】
また、子画面３についての動作は次の通りが考えられる。
（１）子画面３は、裏番組情報切換が終了してから、５００ｍｓｅｃ以上である２秒程度おいて表示する。その理由は、裏番組情報をスピーディーに検索（確認）できることを優先させたく、逆に子画面選局にかかる時間等でスピードを落としたくないためである。
（２）図５（ａ）（ｂ）（ｃ）において、子画面３の表示エリアは固定とし、子画面表示が行われない時も、子画面表示エリアに文字を配置しないこと。
（３）スキャン等の関係から、番組情報の表示が子画面表示よりも遅れることがあるが可とする。
（４）子画面のサイドパネルの表示は、単画面で表示される場合と同様な映り方とする。
【００５６】
即ち、サイドパネル（パンスキャン有無に関わらず）はそのまま付けて表示する。
【００５７】
また、レター（パンスキャン付き）は、上下を切り出して１６：９で表示する。
【００５８】
次に、〈１６：９子画面座標〉、〈４：３子画面座標〉、〈ＯＳＤ表示領域〉について説明する。〈１６：９子画面座標〉（ｘ，ｙ，ｗ，ｈ）＝（７８５，４４４，１４７，８６）、〈４：３子画面座標〉（ｘ，ｙ，ｗ，ｈ）＝（８２３，４４４，１０９，８６）、〈ＯＳＤ（On Screen Display）表示領域〉（ｘ，ｙ，ｗ，ｈ）＝（０，４３７，９６０，１０３）となる。
【００５９】
［第２の実施の形態］
次に、本発明に係る放送受信装置の第２の実施の形態について図６を用いて説明する。本発明に係る放送受信装置の第２の実施の形態において、第１の実施の形態と相違する点は、図６に示すように子画面３に表示する裏番組の放送映像の映像情報の取得にある。即ち、図６は、子画面３に表示する裏番組の放送映像の処理フローを示したものである。ステップＳ１００ａは、裏番組の子画面についての選局を示す。次に、ステップＳ１０１乃至ステップＳ１０３は、図５と同様である。
【００６０】
第２の実施の形態の場合は、裏番組の映像情報をＭＰＥＧレコードした段階で、制御部（ＣＰＵ）１４は、図５に示すステップＳ１０７において記憶装置１５に記録した該当する裏番組の映像情報が記録済であるか否かを調べ、有る場合には記憶装置１５に記録されたグループ単位（直前にシーケンスヘッダ２０が付いたＧＯＰ２１）から子画面への裏番組の映像情報を取得し（Ｓ１０９）、無い場合にはストリーム上の任意のグループ単位（直前にシーケンスヘッダ２０が付いたＧＯＰ２１）から子画面への裏番組の映像情報を取得する（最大５００ｍｓｅｃ）（Ｓ１０４）。そして、このように取得された裏番組の映像情報に対してステップＳ１０５において映像情報設定を行うことにより、ステップＳ１０６において子画面３に裏番組の放送映像を表示することが可能となる。
【００６１】
以上説明したように、第２の実施の形態によれば、裏番組の子画面へ表示する映像情報を記憶装置１５に記録することによって、当該裏番組が選局された場合には、最大５００ｍｓｅｃ待たずに子画面に放送映像を表示することが可能となる。
【符号の説明】
【００６２】
１…表示画面、２…現在視聴中の放送内容の画面、３…選局された裏番組における放送映像を表示する子画面、４…［裏番組チェック］の画面、１０、１１…チューナ部、１２…ＴＳ（Transport Stream）分離装置（多重分離装置）、１３…復号部（ＥＰＥＧデコーダを含む）、１４…制御部（ＣＰＵ）、１５…記憶装置、１６…リモコン装置、１６１…裏番組選択ボタン、１６２…裏番組チェックボタン、１７…ＩＲ（Infrared）受信装置（リモコン受信部）、１８…映像変換装置、１９…表示装置、２０…シーケンスヘッダ、２１…ＧＯＰ（Group of Picture）。
【図１】
2010045861.tif 000003
【図２】
2010045861.tif 000004
【図３】
2010045861.tif 000005
【図４】
2010045861.tif 000006
【図５】
2010045861.tif 000007
【図６】
2010045861.tif 000008